(57)【要約】【課題】これまでコンテンツであるＤＩＩ、ＤＤＢの受信をしなければ出来なかった受信機の放送周波数変更が告知情報のみで実行することが可能なデジタル地上放送受信機を提供する。【解決手段】告知情報の周波数変更情報は、１セグメント用チューナー部２００から１セグメント用デモジュレーター部２０１を経て、復調され、ＤｅＭＵＸ部１０２に至る。次に、ＣＰＵ部３００によって、周波数変更日時情報を取得し予約起動用サブＣＰＵ部３０１へ予約起動データとして格納する。周波数変更日時になると、予約起動用サブＣＰＵ部３０１からＣＰＵ部３００に周波数変更日時となった事が伝わりＣＰＵ部３００は１セグメント用チューナー部２００へ周波数サーチを指示し、放送されているチャンネルを獲得し、周波数変更を行うデジタル放送受信機により上記課題を達成する。【選択図】          図１
2004350217.tif 000002
【特許請求の範囲】
【請求項１】
強階層で伝送される告知情報の中のテキスト情報領域に一定のフォーマットに従って記載された周波数変更実施月日及び日時と変更前後の周波数情報及び付帯情報を受信し、地上波デジタル放送の放送周波数変更する地上波デジタル受信機において、
前記フォーマットに記載されている情報を解析し、周波数変更日時情報を取得する周波数情報取得手段と、
前記周波数変更日時情報に基づいて、周波数変更の予約を行い、周波数変更起動処理を行う予約起動処理手段と、
周波数変更発生時に受信機チューナーに対して放送受信波の周波数サーチを指示する周波数サーチ指示手段とを備え、
周波数の変更を自動的に行うことを特徴とする地上波デジタル受信機。
【請求項２】
前記周波数変更実施月日及び日時及び付帯情報を記憶する記憶手段と、
前記一定のフォーマットに従って送信された周波数変更実施月日及び日時及び付帯情報を受信した後、周波数変更発生時に、前記記憶手段により記憶された周波数情報を読み出し、周波数をプリセットする周波数プリセット手段と、
を備えたことを特徴とする請求項１に記載の地上波デジタル受信機。
【請求項３】
前記一定のフォーマットに従った周波数変更実施月日及び日時及び付帯情報を受信した後、映像出力部に、周波数変更の発生を表示する周波数変更発生表示手段を備え、
周波数変更発生が始まる直前にユーザーへ周波数変更の発生を知らせることを特徴とする請求項１または請求項２に記載の地上波デジタル受信機。
【請求項４】
地上波デジタル放送の放送周波数変更において、前記強階層で伝送される告知情報の中の領域に、前記一定のフォーマットに従った周波数変更実施月日及び日時と変更前後の周波数情報及び付帯情報を受信する際に、前記一定フォーマットの種別を判定するフォーマット判定手段を備えたことを特徴とする請求項１から請求項３のいずれか１項に記載の地上波デジタル受信機。
【請求項５】
強階層で伝送される告知情報の中のテキスト情報領域に一定のフォーマットに従って記載された周波数変更実施月日及び日時と変更前後の周波数情報及び付帯情報を受信し、地上波デジタル放送の放送周波数変更する際に、強階層の受信及び弱階層の受信が可能であるが前記弱階層で伝送される周波数変更情報の取得及び周波数変更の手段を有しない地上波デジタル受信機において、
前記フォーマットに記載されているデータを解析し、周波数変更日時情報を取得する周波数情報取得手段と、
前記周波数変更日時情報に基づいて、周波数変更の予約を行い、周波数変更起動処理を行う予約起動処理手段と、
周波数変更発生時に受信機チューナーへ周波数サーチを指示する周波数サーチ指示手段とを備え、
周波数の変更を自動的に行うことを特徴とする地上波デジタル受信機。
【請求項６】
前記周波数変更実施月日及び日時及び付帯情報を記憶する記憶手段と、
前記一定のフォーマットに従って送信された周波数変更実施月日及び日時及び付帯情報を受信した後、周波数変更発生時に、前記記憶手段により記憶された周波数情報を読み出し、周波数をプリセットする周波数プリセット手段と、を備えたことを特徴とする請求項５に記載の地上波デジタル受信機。
【請求項７】
前記一定のフォーマットに従った周波数変更実施月日及び日時及び付帯情報を受信した後、映像出力部に、周波数変更の発生を表示する周波数変更発生表示手段を備え、
周波数変更発生が始まる直前にユーザーへ周波数変更の発生を知らせることを特徴とする請求項５または請求項６に記載の地上波デジタル受信機。
【請求項８】
地上波デジタル放送の放送周波数変更において、前記強階層で伝送される告知情報の中の領域に、前記一定のフォーマットに従った周波数変更実施月日及び日時と変更前後の周波数情報及び付帯情報を受信する際に、前記一定フォーマットの種別を判定するフォーマット判定手段を備えたことを特徴とする請求項５から請求項７のいずれか１項に記載の地上波デジタル受信機。
【発明の詳細な説明】
【０００１】
【発明の属する技術分野】
本発明は、告知情報のテキスト情報により周波数変更を行う地上波デジタル受信機に関する。
【０００２】
【従来の技術】
受信機のソフトウェア改善などを目的に放送波によるダウンロード技術は既に衛星デジタル放送によって実現されている。
【０００３】
受信機は最初にＳＤＴＴ（Ｓｏｆｔｗａｒｅ  Ｄｏｗｎｌｏａｄ  Ｔｒｉｇｇｅｒ  Ｔａｂｌｅ）という告知情報を取得し、周波数リスト・変更情報等のコンテンツ（以下、コンテンツと称す）のダウンロード放送がいつどのチャンネルで行われるかを知る。ＳＤＴＴは受信機に対するスケジュール情報の他、ユーザーに対するテキストメッセージが記載出来るが、コンテンツは持たない。この後、ＳＤＴＴに記載された日時・チャンネルでダウンロード放送が開始され、受信機は、送られてくるＤＩＩ（Ｄｏｗｎｌｏａｄ  Ｉｎｆｏ  Ｉｎｄｉｃａｔｉｏｎ）およびＤＤＢ（Ｄｏｗｎｌｏａｄ  Ｄａｔａ  Ｂｌｏｃｋ）というコンテンツの取得を行い、取得したコンテンツを使用中のコンテンツと差し替えてダウンロードが完了する。
【０００４】
地上波デジタル放送では、周波数の再割り当てによる放送周波数変更が予定されている。この周波数変更に対応する仕組みとして周波数リスト・変更情報のダウンロードがあり、前述のダウンロードと基本的に同じしくみで実行されるが、告知情報であるＳＤＴＴは強階層によって伝送され、ＤＩＩ、ＤＤＢは、弱階層で伝送される点で異なる。また、記載される情報もＳＤＴＴのｃｏｎｔｒｏｌ記述子において周波数変更発生開始月日とその期間と対象県域などを示すエリア情報が記載され、大よその対象地域と日程を知ることが出来、これに続くコンテンツのＤＩＩ、ＤＤＢの中で周波数変更対象となる送信所の特定と送信所ごとの変更発生月日及び時刻、変更前後の物理チャンネル情報などの受信機が所在する場所ごとの詳細情報が判明するしくみとなっている。これらＳＤＴＴとＤＩＩ、ＤＤＢの全てを取得する事によって周波数変更の自動追従を可能とする。
【０００５】
図９は、従来の地上波デジタル受信機のブロック図である。この地上波デジタル受信機は、１２セグメントの弱階層と１セグメントの強階層の両方が受信可能な放送波によるダウンロード機能を有する。周波数の変更を行う際に、はじめに、１セグメントの強階層によって告知情報が伝送され、チューナー部１００からＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）デモジュレーター部１０１を経て、ＤｅＭＵＸ部１０２に至り、ＣＰＵ部１０５は、上記告知情報からダウンロード予約に必要な情報を取得し、予約起動用サブＣＰＵ部１０６にコンテンツ伝送日時に受信起動するように予約設定を行う。次に、ダウンロード予約された日時にコンテンツの取得のために、ＣＰＵ部１０５は告知情報から得たコンテンツ伝送日時情報に基づきダウンロード受信予約処理を行う。更にコンテンツ伝送日時になると、予約起動用サブＣＰＵ部１０６によって、予約処理が起動する。１２セグメントの弱階層によってコンテンツが伝送されると、１００〜１０３の経路を経てＣＰＵ部１０５は、コンテンツデータを取得し、コンテンツに含まれる周波数変更に必要となる対象周波数情報などを情報格納用メモリ部１０７へ格納し、日時情報から予約起動用サブＣＰＵ部１０６へ周波数変更実施予約処理を行う。その後、周波数変更日時になると、予約起動用サブＣＰＵ部１０６によって予約処理が起動される。予約処理によって、ＣＰＵ部１０５は、予約情報と格納データを基に周波数変更を実行し、周波数変更が完了する。
【０００６】
また、放送波によるダウンロードをより効果的に行う技術があるが、放送局の送出運用変更の為の番組関連データ伝送についても告知情報であるＳＤＴＴとコンテンツであるＤＩＩ、ＤＤＢを使って実施するものであり、送出運用変更に受信機を対応させる為にはコンテンツの取得が前提となっている（例えば、特許文献１参照）。
【０００７】
【特許文献１】
特開２００１−５３６９７号公報
【０００８】
【発明が解決しようとする課題】
しかしながら、上記に示したように、放送局の送出運用変更のための番組関連データ伝送についても告知情報であるＳＤＴＴとコンテンツであるＤＩＩ、ＤＤＢを使って実施するものであり、送出運用変更に対して受信機を対応させるためにはＤＩＩ，ＤＤＢの取得が前提となっているため、以下に説明する課題を抱えている。
【０００９】
周波数発生時に合わせて自動周波数変更追従を実施する為には、受信機が所在する場所ごとに異なる放送波の送信所とその変更前後の物理チャンネルや発生時刻などの詳細情報が必要であり、これらはコンテンツであるＤＩＩ、ＤＤＢは弱階層で伝送される。言いかえれば強階層しか受信出来ない受信機では、ＳＤＴＴのｃｏｎｔｒｏｌ記述子に記載される県域情報と実施期間（月日）の情報しか得ることが出来ず、周波数変更発生時刻に合わせて自動追従する為に必要な時刻情報と変更前後の物理チャンネル情報が取得出来ない。そのため、新しい物理チャンネルを受信機にプリセットすることが出来ず、周波数変更が発生した時点でユーザー自身の手を煩わせて周波数サーチを行うなどの必要性が生じる。
【００１０】
また、弱階層が受信可能であってもコンテンツの取得及び実行の為の手段が具備されていない受信機も同様に周波数変更発生時に合わせて自動追従する事が出来ない。
【００１１】
図１０は、従来の他の地上波デジタル受信機を示すブロック図である。この地上波デジタル受信機は、１セグメントの強階層受信のみ受信可能である。１セグメントの強階層によって告知情報が伝送され、１セグメント用チューナー部２００から１セグメント用デモジュレーター部２０１を経てＤｅＭＵＸ部１０２に至り、ＣＰＵ部１０５は周波数変更が間もなく発生すると判断し、映像出力部１０４にてユーザーに知らせる。この知らせを受けて、ユーザーは、周波数変更が発生した時点でユーザー自身により周波数サーチを行う。
【００１２】
また、ユーザーへ周波数変更が発生する表示タイミングも従来の技術を利用した場合、ＳＤＴＴだけの情報では、大抵ＳＤＴＴを取得した時点でユーザーへの告知がなされるなど、意図的に周波数変更発生直前などに告知することはＳＤＴＴのｃｏｎｔｒｏｌ記述子の内容では不可能であった。
【００１３】
そこで、本発明は、上記のような問題点に鑑みてなされたものであり、告知情報と周波数変更のための前記周波数情報及び付帯情報とを合わせた告知情報を送信する地上波デジタル送信機を提供し、ＳＤＴＴの告知情報のみを受信することで自動的に周波数変更に追従する地上波デジタル受信機を提供するものである。
【００１４】
さらに、本発明は、ＳＤＴＴのユーザー告知タイミングについてもユーザーにとってわかりやすい周波数変更発生の直前に意図的に告知する事を可能とする地上波デジタル受信機を提供するものである。
【００１５】
【課題を解決する為の手段】
本発明に係る地上波デジタル受信機は、強階層で伝送される告知情報の中のテキスト情報領域に一定のフォーマットに従って記載された周波数変更実施月日及び日時と変更前後の周波数情報及び付帯情報を受信し、地上波デジタル放送の放送周波数変更する地上波デジタル受信機において、前記フォーマットに記載されている情報を解析し、周波数変更日時情報を取得する周波数情報取得手段と、前記周波数変更日時情報に基づいて、周波数変更の予約を行い、周波数変更起動処理を行う予約起動処理手段と、周波数変更発生時に受信機チューナーに対して周波数サーチを指示する周波数サーチ指示手段とを備え、周波数の変更を自動的に行うことを特徴とする。
【００１６】
本発明に係る地上波デジタル受信機は、前記周波数変更実施月日及び日時及び付帯情報を記憶する記憶手段と、前記一定のフォーマットに従って送信された周波数変更実施月日及び日時及び付帯情報を受信した後、周波数変更発生時に、前記記憶手段により記憶された周波数情報を読み出し、周波数をプリセットする周波数プリセット手段とを備えたことが好ましい。
【００１７】
本発明に係る地上波デジタル受信機は、前記一定のフォーマットに従った周波数変更実施月日及び日時及び付帯情報を受信した後、映像出力部部に、周波数変更の発生を表示する周波数変更発生表示手段を備え、周波数変更発生が始まる直前にユーザーへ周波数変更の発生を知らせることが好ましい。
【００１８】
本発明に係る地上波デジタル受信機は、地上波デジタル放送の放送周波数変更において、前記強階層で伝送される告知情報の中の領域に、前記一定のフォーマットに従った周波数変更実施月日及び日時と変更前後の周波数情報及び付帯情報を受信する際に、前記一定フォーマットの種別を判定するフォーマット判定手段を備えたことが好ましい。
【００１９】
本発明に係る地上波デジタル受信機は、強階層で伝送される告知情報の中のテキスト情報領域に一定のフォーマットに従って記載された周波数変更実施月日及び日時と変更前後の周波数情報及び付帯情報を受信し、地上波デジタル放送の放送周波数変更する際に、強階層の受信及び弱階層の受信が可能であるが前記弱階層で伝送される周波数変更情報の取得及び周波数変更の手段を有しない地上波デジタル受信機において、前記フォーマットに記載されているデータを解析し、周波数変更日時情報を取得する周波数情報取得手段と、前記周波数変更日時情報に基づいて、周波数変更の予約を行い、周波数変更起動処理を行う予約起動処理手段と、周波数変更発生時に受信機チューナーへ周波数サーチを指示する周波数サーチ指示手段とを備え、周波数の変更を自動的に行うことを特徴とする。
【００２０】
本発明に係る地上波デジタル受信機は、前記周波数変更実施月日及び日時及び付帯情報を記憶する記憶手段と、前記一定のフォーマットに従って送信された周波数変更実施月日及び日時及び付帯情報を受信した後、周波数変更発生時に、前記記憶手段により記憶された周波数情報を読み出し、周波数をプリセットする周波数プリセット手段とを備えたことが好ましい。
【００２１】
本発明に係る地上波デジタル受信機は、前記一定のフォーマットに従った周波数変更実施月日及び日時及び付帯情報を受信した後、映像出力部に、周波数変更の発生を表示する周波数変更発生表示手段を備え、周波数変更発生が始まる直前にユーザーへ周波数変更の発生を知らせることが好ましい。
【００２２】
本発明に係る地上波デジタル受信機は、地上波デジタル放送の放送周波数変更において、前記強階層で伝送される告知情報の中の領域に、前記一定のフォーマットに従った周波数変更実施月日及び日時と変更前後の周波数情報及び付帯情報を受信する際に、前記一定フォーマットの種別を判定するフォーマット判定手段を備えたことが好ましい。
【００２３】
本発明は、前記強階層で伝送される告知情報の中のテキスト情報領域に一定のフォーマットに従って記載された周波数変更実施月日及び日時と変更前後の周波数情報及び付帯情報を送信する地上波デジタル送信機を提供し、これらの情報を解析し、周波数変更日時情報を取得する周波数情報取得手段と、前記周波数変更日時情報に基づいて周波数変更の予約設定を行い、周波数変更起動処理を行う予約起動処理手段とを備えることにより告知情報のみの情報により周波数の変更を自動的に行うことを可能にした地上波デジタル受信機を提供することにより上記のような課題を解決したものである。
【００２４】
【発明の実施の形態】
本発明の実施の形態について以下に、図面を参照して説明する。
なお、図は、発明を実施する形態の一例であって、図中、同一の符号を付した部分は同一物を表わしているものとする。
【００２５】
（第１の実施の形態）
図１は、１セグメントの強階層受信のみ受信可能な地上波デジタル受信機を示すブロック図である。図２は、ＳＤＴＴのｄｅｓｃｒｉｐｔｏｒ内のテキスト情報領域に一定のフォーマットを設けた例を示す図である。
【００２６】
先ず、図２を用いて本発明に係る地上波デジタル受信機において周波数を変更するための情報を含むＳＤＴＴのｄｅｓｃｒｉｐｔｏｒ内のテキスト情報領域に設けられた一定のフォーマットについて説明する。
【００２７】
ＳＤＴＴのｄｅｓｃｒｉｐｔｏｒ内にはｔｅｘｔ＿ｃｈａｒというユーザー向けメッセージを記載出来るテキスト情報領域が有り、周波数リスト・変更情報のダウンロードの場合、ｔｅｘｔ＿ｉｎｆｏ＿ｆｌａｇは“０”を基本とし、これらの情報を受信機は無視して良いことになっている。
【００２８】
そこで、これらの情報を任意に利用することができる点に着目し、送信側において、ｔｅｘｔ＿ｉｎｆｏ＿ｆｌａｇを“１”にする。すなわちｔｅｘｔ＿ｃｈａｒのデータ記載を有効にする事によって、この領域に周波数変更情報のうち必要最低限の情報を一定のフォーマットに従って記載する。ＳＤＴＴでは、テキスト情報を標準で１００バイトとしている。この制約からｔｅｘｔ＿ｃｈａｒへの情報量は最小限とするべきで、図２に示すｔｅｘｔ＿ｃｈａｒに記載する周波数変更情報のフォーマット（形式）では、従来ＤＩＩ、ＤＤＢのコンテンツとして伝送されていた周波数変更情報のうち周波数変更の発生しない送信所の情報を省いている。もちろん、これ以外、これ以下の情報、形式または内容であっても良い。複数エリア分の情報を同じＳＤＴＴで送出する場合は、ｄｅｓｃｒｉｐｔｏｒをエリア数分確保し、分割記載するなどによって行われても良い。
【００２９】
次に、図３を用いて本発明に係る地上波デジタル受信機において周波数を変更するための情報を含むＳＤＴＴのｄｅｓｃｒｉｐｔｏｒ内のプライベート・データ領域に設けられたフォーマット例について説明する。
図３は、ＳＤＴＴのｄｅｓｃｒｉｐｔｏｒ内でプライベート・データに一定のフォーマットを設けた例を示す図である。
【００３０】
ＳＤＴＴのｄｅｓｃｒｉｐｔｏｒ内にはｐｒｉｖａｔｅ＿ｄａｔａ＿ｂｙｔｅ領域というユーザー向けメッセージを記載出来るテキスト情報領域が有る。周波数リスト・変更情報のダウンロードする場合、プライベート・データ長は“０”を基本とし、これらの情報を受信機は無視して良いことになっている。そこで、これらの情報を任意に利用することができる点に着目する。送信機において、ｐｒｉｖａｔｅ＿ｄａｔａ＿ｂｙｔｅのデータ記載を有効にする事によって、この領域に周波数変更情報のうち必要最低限の情報を一定のフォーマットに従って記載する。ＳＤＴＴでは、テキスト情報の標準セクションサイズを最大１３８バイトとしている。この制約からｐｒｉｖａｔｅ＿ｄａｔａ＿ｂｙｔｅのへの情報量は最小限とする。図３に示すｐｒｉｖａｔｅ＿ｄａｔａ＿ｂｙｔｅに記載する周波数変更情報のフォーマット（形式）では、従来ＤＩＩ、ＤＤＢのコンテンツとして伝送されていた周波数変更情報のうち、周波数変更の発生しない送信所の情報を省いている。もちろん、これ以外、これ以下の情報、形式または内容であっても良い。複数エリア分の情報を同じＳＤＴＴで送出する場合は、ｄｅｓｃｒｉｐｔｏｒ領域をエリア数の分、確保し分割記載しても良い。
【００３１】
このように、送信側は、ＳＤＴＴのｄｅｓｃｒｉｐｔｏｒ領域内に存在するユーザー向けメッセージを記載出来るテキスト情報領域を開放し、上記コンテンツを記載して、ＳＤＴＴの告知情報のみを送信する。これによって、受信機は、ＳＤＴＴのみを受信することで、周波数変更に必要な情報を受信することが可能となる。
【００３２】
以下に、上記に示したユーザー向けメッセージを記載出来るテキスト情報領域のデータを利用して自動的に周波数の変更を行う受信機の動作について、図１に示すブロック図を用いて説明する。
【００３３】
１セグメントの強階層によって、例えば、図２のフォーマット情報に従って記載された告知情報が伝送されると、この告知情報は、１セグメント用チューナー部２００に入力される。１セグメント用チューナー部２００から出力信号は、１セグメント用デモジュレーター部２０１によって復調され、ＤｅＭＵＸ部１０２に入力される。ＤｅＭＵＸ部１０２から出力されるフォーマット情報は、一旦、ＣＰＵ部３００に取り込まれる。取り込まれたフォーマット情報のうち、エリアコードおよび送信コードは、エリアコード判定手段４００及び送信コード判定手段４１０によって、受信機の自身の所在地に関係のある情報であるかどうかを判断される。周波数情報の１つである周波数変更日時情報は、周波数情報取得手段４２０により取得され、予約起動用サブＣＰＵ部３０１へ予約起動データとして格納される。周波数変更日時になると、予約起動用サブＣＰＵ部３０１からＣＰＵ部３００に周波数変更日時となった事が伝わる。周波数サーチ指示手段４３０は、１セグメント用チューナー部２００へ周波数サーチを指示し、放送されているチャンネルを獲得し、周波数変更を行う。これにより、自動的に周波数の変更を行うことが可能となる。
【００３４】
図４は、図２で示すフォーマットに従って周波数変更情報が記載されたＳＤＴＴを処理する受信機のフローチャート図である。
【００３５】
まず、受信機は、ＳＤＴＴを取得する（ステップＳ１）。ＳＤＴＴを取得した受信機は、エリアコードを判定し、受信機の所在地に関係のある情報であるかを判断する（ステップＳ２）。受信機の所在地に関係のある情報である場合（ステップＳ２；ｙｅｓ）には、次に送信所コードを判定し、同様に、受信機の所在地に関係のある情報であるか判断する（ステップＳ３）。判定基準は、例えば受信機の初期設定でユーザーが入力した地域情報や郵便番号などを利用する。その結果、受信機に関係する周波数変更情報であると判断できれば（ステップＳ３；ｙｅｓ）、図１で示したフォーマットに従って、ｔｅｘｔ＿ｃｈａｒの情報解析を行う（ステップＳ４）。次に、周波数変更情報を取得し（ステップＳ５）、各周波数変更処理を実行する（ステップＳ６）。これにより、周波数変更が行われる。
【００３６】
図５は、図３に示すフォーマットに従って周波数変更情報が記載されたＳＤＴＴを処理するための受信機のフローチャート図である。
【００３７】
先ず、受信機は、ＳＤＴＴを取得する（ステップＳ１０）。ＳＤＴＴを取得した受信機はエリアコードを判定する（ステップＳ１１）。受信機の所在地に関係のある情報である場合（ステップＳ１１；ｙｅｓ）には、送信所コードを判定する（ステップＳ１２）。受信機の所在地に関係のある情報である場合（ステップＳ１２；ｙｅｓ）には、次ぎに送信所コードを判定し、同様に、受信機の所在地に関係のある情報であるか判断する（ステップＳ１３）。判定基準は例えば受信機の初期設定でユーザーが入力した地域情報や郵便番号などを利用する。その結果、受信機に関係する周波数変更情報であると判断できれば（ステップＳ１３；ｙｅｓ）、図３で示したフォーマットに従って、ｐｒｉｖａｔｅ＿ｄａｔａ＿ｂｙｔｅの情報解析を行う（ステップＳ１３）。次に、周波数変更情報を取得し（ステップＳ１４）、各周波数変更処理を実行する（ステップＳ１５）。これにより、周波数変更が行われる。
【００３８】
（第２の実施形態）
図６は、本発明に係る周波数チャンネル・プリセット機能を備えた地上波デジタル受信機を示すブロック図である。
【００３９】
１セグメントの強階層によって、例えば、図２に示すフォーマットの情報が記載された告知情報が伝送されると、この告知情報は、１セグメント用チューナー部２００から１セグメント用デモジュレーター部２０１を経てＤｅＭＵＸ部１０２に至る。ＣＰＵ部１０５は、本来、受信機では告知情報の中の無視して良い領域、即ち、ＳＤＴＴにおけるｄｅｓｃｒｉｐｔｏｒ内のｔｅｘｔ＿ｃｈａｒのテキスト情報を取得する。前記テキスト情報から周波数変更情報は、周波数情報取得手段４２０により取得され、周波数プリセット変更情報として情報格納用メモリ部３０３に格納する。周波数変更日時情報は、予約起動用サブＣＰＵ部３０１に対する予約起動データとして格納される。周波数変更日時になると、予約起動用サブＣＰＵ部３０１からＣＰＵ部３０２に周波数変更日時となった事が伝わる。周波数プリセット手段４５０は、情報格納用メモリ部３０３に格納された周波数プリセット変更情報を読み出し、周波数変更を実施する。これにより、周波数変更が完了する。
【００４０】
また、周波数変更が発生する直前（例えば５分前）に予約起動用サブＣＰＵ部３０１からＣＰＵ部３００に間もなく周波数変更日時となることが伝わり、周波数変更表示手段４４０によって、映像出力部１０４に周波数変更が発生したことを表示する。これにより、ユーザーは、周波数変更が行われることを事前に知ることが可能である。
【００４１】
図２及び図３に示すＳＤＴＴのｄｅｓｃｒｉｐｔｏｒ内のｔｅｘｔ＿ｃｈａｒまたは、ｐｒｉｖａｔｅ＿ｄａｔａ＿ｂｙｔｅというユーザー向けメッセージを記載出来るテキスト情報領域の周波数リスト及び変更情報がダウンロードされるが、例えば、周波数変更情報がｔｅｘｔ＿ｃｈａｒまたはｐｒｉｖａｔｅ＿ｄａｔａ＿ｂｙｔｅ領域のどちらの領域に含まれているかどうかを判定するフォーマット判定手段を設けてもよい。これにより、どちらかのフォーマットに対応させることが可能である。
【００４２】
（第３の実施形態）
図７は、１２セグメントの弱階層と１セグメントの強階層の両方が受信可能な地上波デジタル受信機を示すブロック図である。
【００４３】
１セグメントの強階層によって、例えば、伝送される図２に示すフォーマット情報が記載された告知情報は、チューナー部１００からＯＦＤＭデモジュレーター部１０１を経てＤｅＭＵＸ部１０２に至る。ＤｅＭＵＸ部１０２から出力される図２に示すフォーマット情報内の周波数変更日時情報は、周波数情報取得手段４２０によって取得される。また、この周波数変更日時情報は、予約起動用サブＣＰＵ部３１１のメモリに予約起動データとして格納される。周波数変更日時になると、予約起動用サブＣＰＵ部３１１からＣＰＵ部３１０に周波数変更が発生したことが伝わり、ＣＰＵ部３１０の周波数サーチ指示手段４３０により１セグメント用チューナー部１００に対して周波数サーチを指示する。これにより、放送されているチャンネルの周波数を獲得し、その周波数に変更することができる。
【００４４】
（第４の実施形態）
図８は、周波数プリセット機能を有した地上波デジタル受信機のブロック図である。
【００４５】
例えば、図２で示すフォーマットに記載された周波数変更情報は、周波数プリセットのための周波数変更情報として情報格納用メモリ部３１２に格納される。この周波数変更日時情報は、予約起動用サブＣＰＵ部３１１へ予約起動データとして格納される。周波数変更発生日時になると、予約起動用サブＣＰＵ部３１１からＣＰＵ部３１０に周波数変更日時となったことが伝わる。情報格納用メモリ部３１２に格納された周波数プリセット変更情報は、周波数プリセット手段４５０によって読み出され、周波数変更が行われる。このようにして、自動的に、周波数変更が実施される。
【００４６】
また、周波数変更が発生する直前（例えば５分前）に予約起動用サブＣＰＵ部３１１からＣＰＵ部３１２に間もなく周波数変更発生時刻となることが伝わり周波数発生変更表示手段４４０によって、周波数変更が発生する情報を事前に映像出力部部１０４に表示し、ユーザーへ知らせる。
【００４７】
なお、図１に示すＳＤＴＴのｄｅｓｃｒｉｐｔｏｒ内のｔｅｘｔ＿ｃｈａｒ領域に記載されたフォーマットに従った情報の場合について説明したが、上述した図２に示すｐｒｉｖａｔｅ＿ｄａｔａ＿ｂｙｔｅ領域に記載された情報の場合についても同様に処理される。この場合には、上述したフォーマット判定手段により、どちらかのフォーマットで記載された情報であるかを判定した後に周波数変更情報の抽出を行うことも可能である。
【００４８】
【発明の効果】
本発明により、これまでコンテンツであるＤＩＩ、ＤＤＢの受信をしなければ出来なかった受信機の放送周波数変更追従が告知情報のみで実行出来るようになる。また、強階層のみのダウンロードによりＳＤＴＴを取得することで処理が完了するため、関連するハード及びソフトの削減が可能となりコスト低減を図ったデジタル放送受信機を提供できる。
【００４９】
更に、強階層のみ受信出来る受信機におけるユーザーに対する周波数変更発生告知も発生の直前で表示する事が可能であり、ユーザーにとって操作容易なデジタル放送受信機を提供できる。
【図面の簡単な説明】
【図１】本発明に係る１セグメントの強階層受信のみ受信可能な地上波デジタル受信機を示すブロック図である。
【図２】ＳＤＴＴのｄｅｓｃｒｉｐｔｏｒ内のテキスト情報領域に一定のフォーマットを設けた例を示す図である。
【図３】ＳＤＴＴのｄｅｓｃｒｉｐｔｏｒ内でプライベート・データに一定のフォーマットを設けた例を示す図である。
【図４】図２で示す実施例のフォーマットの記載されたＳＤＴＴを処理する受信機のフローチャート図である。
【図５】図３に示すフォーマットに従って周波数変更情報が記載されたＳＤＴＴを処理する為の受信機のフローチャート図である。
【図６】本発明に係る周波数チャンネル・プリセット機能を備えた地上波デジタル受信機を示すブロック図である。
【図７】本発明に係る１２セグメントの弱階層と１セグメントの強階層の両方が受信可能な地上波デジタル受信機を示すブロック図である。
【図８】本発明に係る周波数チャンネル・プリセット機能を有したブロック図である。
【図９】従来の地上波デジタル受信機を示すブロック図である。
【図１０】従来の他の地上波デジタル受信機を示すブロック図である。
【符号の説明】
１００  １２及び１セグメントチューナー部
１０１  １２及び１セグメントデモジュレーター部
１０２  ＤｅＭＵＸ部
１０３  ＭＰＥＧデコーダ部
１０４  映像出力部
１０５  ＣＰＵ部
１０６  予約起動用サブＣＰＵ部
１０７  情報格納用メモリ部
２００  １セグメント用チューナー部
２０１  １セグメントデモジュレーター部
３００  １セグメント用ＣＰＵ部
３０１  １セグメント用予約起動用サブＣＰＵ部
３０２  １セグメント用情報格納用メモリ部
３１０  １２及び１セグメント用ＣＰＵ部
３１１  １２及び１セグメント用予約起動用サブＣＰＵ部
３１２  １２及び１セグメント用情報格納用メモリ部
４００  エリアコード判定手段
４１０  送信コード判定手段
４２０  周波数情報取得手段
４３０  周波数サーチ指示手段
４４０  周波数変更発生表示手段
４５０  周波数プリセット手段
【図１】
2004350217.tif 000003
【図２】
2004350217.tif 000004
【図３】
2004350217.tif 000005
【図４】
2004350217.tif 000006
【図５】
2004350217.tif 000007
【図６】
2004350217.tif 000008
【図７】
2004350217.tif 000009
【図８】
2004350217.tif 000010
【図９】
2004350217.tif 000011
【図１０】
2004350217.tif 000012